(57)【要約】【課題】光学ファインダでも構図を参照しながらの撮影を容易に行えるようにすることができる撮像装置を提供する。【解決手段】被写体の光学像を観察可能な光学ファインダと、光学ファインダの光路中に配された透過型表示手段とを有する撮像装置において、画像を任意に選択する画像選択手段と、画像選択手段により任意に選択された画像（５００ａ）から線画を作成する線画作成手段と、線画作成手段によって作成された線画（５００ｂ）を透過型表示手段に表示させる線画表示手段とを有する。【選択図】図４
2010206755.tif 000002
【特許請求の範囲】
【請求項１】
被写体の光学像を観察可能な光学ファインダと、
前記光学ファインダの光路中に配された透過型表示手段とを有する撮像装置において、
画像を任意に選択する画像選択手段と、
前記画像選択手段により任意に選択された画像から線画を作成する線画作成手段と、
前記線画作成手段によって作成された線画を前記透過型表示手段に表示させる線画表示手段とを有することを特徴とする撮像装置。
【請求項２】
前記線画作成手段は、前記画像選択手段によって任意に選択された画像から自動的に線画を作成する自動線画作成手段であることを特徴とする請求項１に記載の撮像装置。
【請求項３】
前記線画作成手段は、前記画像選択手段によって任意に選択された画像を表示させる画像表示手段と、該画像表示手段によって表示された画像の輪郭をなぞることによって手動で線画を作成する手動線画作成手段とにより構成されることを特徴とする請求項１に記載の撮像装置。
【請求項４】
前記手動線画作成手段は、作成された線画内に、所定の図形、または記号を挿入する線画図形挿入手段を有することをする特徴とする請求項３に記載の撮像装置。
【請求項５】
前記線画表示手段は、被写体像の輝度が設定された輝度値より小さいと判定した場合は、線画の線を発光して表示させることを特徴とする請求項１ないし４のいずれかに記載の撮像装置。
【請求項６】
撮影画像と前記線画作成手段によって作成された線画とを保存する画像保存手段を有することを特徴とする請求項１ないし５のいずれかに記載の撮像装置。
【請求項７】
前記画像保存手段は、前記線画表示手段によって表示された線画を、前記線画の表示中に撮影された撮影画像と関連付けて保存すること特徴とする請求項６に記載の撮像装置。
【請求項８】
前記画像保存手段は、撮影画像を記録する記録領域とは異なる記録領域に、前記線画を保存することを特徴とする請求項６に記載の撮像装置。
【請求項９】
前記画像保存手段は、前記線画を所定の撮影モード時に表示させるように、前記所定の撮影モードと関連付けて保存することを特徴とする請求項６ないし８のいずれかに記載の撮像装置。
【発明の詳細な説明】
【技術分野】
【０００１】
本発明は、ファインダ光学系に構図表示用の透過型表示手段が配された撮像装置に関するものである。
【背景技術】
【０００２】
デジタルカメラでは、従来記録媒体として使用していた感光フィルムが不要になり、これに代わって半導体メモリカードやハードディスク装置等のデータ記録媒体に撮像素子などによりデータ化された画像の記録を行っている。これらのデータ記録媒体はフィルムと違って何度でも書き込み、消去が可能であるので、消耗品に掛かる経費が少なくて済み、大変便利である。また、通常、デジタルカメラには、撮影画像を随時表示可能な液晶表示装置と、着脱可能な大容量記憶装置が搭載されている。デジタルカメラに内蔵された液晶表示装置は、ドットマトリクス液晶が用いられており、高精細な画像を表示可能としている。液晶表示装置には、通常液晶パネルを裏面より照明する光源、いわゆるバックライトを備えており、液晶表示装置に画像や文字を表示する時に点灯されるようになっている。
【０００３】
これら液晶表示装置と大容量記憶装置との２つの装置を備えたデジタルカメラを利用すると、従来、消耗品として使用してきた記録媒体であるフィルムが不要になるばかりでなく、撮影した画像を液晶表示装置に表示してその場で直ちに確認できる。従って、満足の得られない画像データはその場で消去したり、また必要に応じて再撮影したりすることが撮影現場でも可能となり、フィルムを用いる銀塩写真と比較すると、写真撮影の効率が飛躍的に高まったと言える。
【０００４】
このような利便性と、撮像素子の高画素化などの技術革新により、デジタルカメラの利用範囲は拡大しており、近年では一眼レフ方式などレンズ交換が可能なデジタルカメラも多くなってきている。
【０００５】
さらに、上述のような撮像装置の中には被写体像の画素信号をリアルタイムで液晶表示装置に表示する電子ビューファインダを有するものが有る。
【０００６】
特許文献１では、電子ビューファインダを有するデジタルカメラ等において、カメラに保存されている画像を電子ビューファインダに半透明で表示し、被写体像と重畳表示させて構図を確認させながら撮影を可能にする定点撮影方法が紹介されている。ユーザは前回撮影した画像と被写体像を重畳表示されたものを見ながら構図を決めることができるので、従来よりも定点撮影を容易に行うことができる。
【先行技術文献】
【特許文献】
【０００７】
【特許文献１】特開２００２−０９４８５４号公報
【発明の概要】
【発明が解決しようとする課題】
【０００８】
しかしながら、上記特許文献１のカメラは、いずれも電子ビューファインダを有していることを前提としており、光学ファインダではその構成を達成することができない。
【０００９】
さらに、特許文献１では、電子ビューファインダに被写体像と構図とする撮影画像を重畳表示させているが、撮影画像をそのままスルー表示させる構成としている。このため、構図を合わせるのに不必要な画像情報まで表示されているので、視認性がよくない。
【００１０】
（発明の目的）
本発明の目的は、光学ファインダでも構図を参照しながらの撮影を容易に行えるようにすることのできる撮像装置を提供しようとするものである。
【課題を解決するための手段】
【００１１】
上記目的を達成するために、本発明は、被写体の光学像を観察可能な光学ファインダと、前記光学ファインダの光路中に配された透過型表示手段とを有する撮像装置において、画像を任意に選択する画像選択手段と、前記画像選択手段により任意に選択された画像から線画を作成する線画作成手段と、前記線画作成手段によって作成された線画を前記透過型表示手段に表示させる線画表示手段とを有する撮像装置とするものである。
【発明の効果】
【００１２】
本発明によれば、光学ファインダでも構図を参照しながらの撮影を容易に行えるようにすることができる撮像装置を提供できるものである。
【図面の簡単な説明】
【００１３】
【図１】本発明の一実施例に係るデジタルカメラの構成を示すブロック図である。
【図２】実施例に係るデジタルカメラの背面を示す外観図である。
【図３】実施例に係る構図撮影モード時の動作を示すフローチャートである。
【図４】実施例に係る構図作成モード時における表示画面を示す図である。
【図５】実施例に係る撮影画像データ、構図データの構成を示す図である。
【発明を実施するための形態】
【００１４】
本発明を実施するための形態は、以下の実施例に示す通りである。
【実施例】
【００１５】
図１は本発明の一実施例に係る撮像装置の一例としてのレンズ交換式デジタルカメラの回路構成例を示すブロック図である。
【００１６】
図１に示すように、本実施例のデジタルカメラ２００には、撮影レンズユニット１００が不図示のマウント機構を介して着脱可能に取り付けられる。マウント部には、電気的接点群１０７が設けられ、デジタルカメラ２００と撮影レンズユニット１００の間で通信が行われ、撮影レンズのレンズ１０１、絞り１０２の駆動が行われる。また、デジタルカメラ２００には、バッテリーユニット３００が不図示の着脱機構を介して着脱可能に取り付けられる。双方の接触部には電源接点３０２が設けられ、デジタルカメラ２００とバッテリーユニット３００の間で電力の供給や通信が行われる。
【００１７】
図示されない被写体像からの撮影光束は、レンズ１０１及び光量を調節するための露出手段である絞り１０２を介して、図示する矢印方向に回動可能なクイックリターンミラー２０２に導かれる。クイックリターンミラー２０２の中央部はハーフミラーになっており、該クイックリターンミラー２０２がダウンした際に一部の光束が透過する。この透過した光束は、クイックリターンミラー２０２に設置されたサブミラー２０３で反射され、ＡＦセンサ２０４に導かれる。
【００１８】
一方、クイックリターンミラー２０２で反射された撮影光束は、ピント板２２５で結像される。ピント板２２５に結像された被写体像は、透過型表示装置２２６を透過し、ペンタプリズム２０１、接眼レンズ２０６を介して撮影者の目に至る。
【００１９】
なお、透過型表示装置２２６に表示された画像は、ピント板２２５に結像された被写体像と重畳され、ペンタプリズム２０１、接眼レンズ２０６を介して撮影者の目に至る。
【００２０】
図１の状態からクイックリターンミラー２０２がアップ（撮影光路外に退避）したとする。この際には、レンズ１００からの光束は、機械シャッタであるフォーカルプレーンシャッタ２０８、フィルタ２０９を介して撮像素子としてのＣＭＯＳ等に代表されるイメージセンサ２１０に至る。上記フィルタ２０９は２つの機能を有しているもので、１つは赤外線をカットして可視光線のみをイメージセンサ２１０へ導く機能であり、もう１つは光学ローパスフィルタとしての機能である。また、フォーカルプレーンシャッタ２０８は、先幕及び後幕を有して成るもので、レンズ１０１からの光束の透過、遮断を制御する遮光手段である。
【００２１】
なお、クイックリターンミラー２０２のアップ時には、サブミラー２０３は折り畳まれるようになっている。
【００２２】
本実施例のデジタルカメラ２００は、当該デジタルカメラ全体の制御を司るＣＰＵにより構成されるシステムコントローラ２２３を備え、後述する各部の動作を適宜制御する。
【００２３】
システムコントローラ２２３には、レンズ１０１を光軸方向に移動してピント合わせを行うためのレンズ駆動機構１０３を制御するレンズ制御回路１０４が電気的接点群１０７を介して接続される。さらに、絞り１０２を駆動するための絞り駆動機構１０５を制御する絞り制御回路１０６が電気的接点群１０７を介して接続されている。さらに、クイックリターンミラー２０２のアップダウンの駆動及びフォーカルプレーンシャッタ２０８のシャッタチャージを制御するシャッタチャージ・ミラー駆動機構２１１が接続されている。さらに、フォーカルプレーンシャッタ２０８の先幕、後幕の走行を制御するためのシャッタ制御回路２１２、接眼レンズ２０６の近傍に配設された測光センサに接続された測光回路２０７が接続されている。さらには、当該デジタルカメラ２００を制御する上で調整が必要なパラメータが記憶されているＥＥＰＲＯＭ２２２、デジタルカメラの各回路、駆動部に電力を供給するＤＣ／ＤＣ回路２２４等が接続されている。
【００２４】
なお、システムコントローラ２２３と撮影レンズユニット１００の双方が電子接点群１０７を介して通信を行うことにより、レンズの判別が行われている。
【００２５】
測光回路２０７に接続される測光センサは、図示されない被写体の輝度を測定するためのセンサであり、その出力は測光回路２０７を経てシステムコントローラ２２３へ供給される。
【００２６】
上記システムコントローラ２２３は、レンズ駆動機構１０３を制御することにより、被写体像をイメージセンサ２１０上に結像させる。また、設定されたＡｖ値に基づいて、絞り１０２を駆動する絞り駆動機構１０５を制御し、更には設定されたＴｖ値に基づいて、シャッタ制御回路２１２へ制御信号を出力する。
フォーカルプレーンシャッタ２０８の先幕、後幕は、駆動源がバネにより構成されており、シャッタ走行後次の動作のためにバネチャージを要する。シャッタチャージ・ミラー駆動機構２１１は、このバネチャージを制御するようになっている。また、シャッタチャージ・ミラー駆動機構２１１によりクリックリターンミラー２０２のアップダウンが行われる。
【００２７】
また、システムコントローラ２２３には、画像データコントローラ２２０が接続されている。この画像データコントローラ２２０は、ＤＳＰ（デジタル信号プロセッサ）により構成される。そして、イメージセンサ２１０の制御、該イメージセンサ２１０から入力された画像データの補正や加工などをシステムコントローラ２２３の指令に基づいて実行するものである。画像データコンローラ２２０はシステムコントローラ２２３の指令に基づいて、任意に選択された画像データから構図用の線画を作成する。線画の作成方法の詳細については後述する。
【００２８】
画像データコントローラ２２０には、イメージセンサ２１０を駆動する際に必要なパルス信号を出力するタイミングパルス発生回路２１７が接続されている。さらに、イメージセンサ２１０と共にタイミングパルス発生回路２１７で発生されたタイミングパルスを受けて、該イメージセンサ２１０からの被写体像に対応したアナログ信号のゲインを調整するＡＧＣ（オートゲインコントロール）２３３が接続されている。さらに、ゲインが調整されたアナログ信号をデジタル信号に変換するためのＡ／Ｄコンバータ２１６、得られた画像データ（デジタルデータ）を一時的に記憶しておくＤＲＡＭ２２１、Ｄ／Ａコンバータ２１５及び画像圧縮回路２１９が接続されている。
【００２９】
ＤＲＡＭ２２１は、加工や所定のフォーマットへのデータ変換が行われる前の画像データを一時的に記憶するための記憶手段として使用される。
【００３０】
なお、測光回路２０７にて測光が行われ、システムコントローラ２２３にて露出値が決定される。そして、その露出値に基づいて算出されたＴｖ値が所定の値(１／レンズの焦点距離)以下であった場合、所定の値(１／レンズの焦点距離)以上になるようＡＧＣ２３３にてゲインアップが行われる。
【００３１】
Ｄ／Ａコンバータ２１５には、エンコーダ回路２１４を介して画像表示回路２１３が接続される。画像表示回路２１３に前述の透過型表示装置２２６と後述する入力型背面液晶表示装置２３６が接続されている。さらに、透過型表示装置２２６は透過型有機ＥＬで構成され、透明、又は黒の２値表示だけでなく、カラー発光表示が可能である。
【００３２】
画像圧縮回路２１９には、画像データ記録メディア２１８が接続される。システムコンローラ２２３は画像データコントローラ２２０を介し、画像圧縮回路２１９に信号を送ることにより、画像の形式と圧縮率の設定を行うことができる。ここで、画像は合焦位置を見分けるのに十分な画質であり、かつ、容量が必要以上に大きくならない程度に圧縮される。一般的にカメラはＲＡＷ形式、ＪＰＥＧ形式の両方の形式で画像を記憶することができ、かつＪＰＥＧ形式の時には圧縮率を高、中、低の３段階の中から選択することができる。
【００３３】
画像表示回路２１３は、イメージセンサ２１０で撮像された画像データや作成された構図用の線画を表示するための回路である。画像表示回路２１３はシステムコントローラ２２３からの信号により、透過型表示装置２２６と入力型背面液晶表示装置２３６とに適宜画像を表示するよう構成されている。
【００３４】
画像データコントローラ２２０は、ＤＲＡＭ２２１上の画像データを、Ｄ／Ａコンバータ２１５によりアナログ信号に変換してエンコーダ回路２１４へ出力する。エンコーダ回路２１４はこのＤ／Ａコンバータ２１５の出力を、上記画像表示回路２１３を駆動する際に必要な映像信号（例えばＮＴＳＣ信号）に変換する。
【００３５】
画像圧縮回路２１９は、ＤＲＡＭ２２１に記憶された画像データの圧縮や変換（例えばＪＰＥＧ）を行うための回路である。変換された画像データは、画像データ記録メディア２１８へ格納される。この記録メディアとしては、ハードディスク、フラッシュメモリ、フロッピーディスク等が使用される。
【００３６】
また、システムコントローラ２２３には、当該デジタルカメラの電源のＯＮ、ＯＦＦを切り替える電源スイッチ（ＳＷ）２３４、測光・測距などの撮影準備動作を開始させるためのレリーズＳＷ１（２３２）が接続されている。さらに、撮像動作を開始させるためのレリーズＳＷ２（２３１）、ユーザが所望の動作を当該デジタルカメラに実行させるべくモードを設定するモード設定スイッチ（ＳＷ）２３０が接続されている。さらに、各種選択パラメータの中から所望のものを選択するための選択スイッチ（ＳＷ）２２９、選択されたパラメータを決定するための決定スイッチ（ＳＷ）２２８が接続されている。さらには、回転動作によりパラメータをアップダウンさせて表示する電子ダイヤルスイッチ（ＳＷ）２２７が接続されている。
【００３７】
ストロボ２３７は、ＡＦ補助光の投光機能、ストロボ調光機能も有する。
【００３８】
ＤＣ／ＤＣ回路２２４には所定の抵抗値を持ったダミーロード２３５が接続されている。ＤＣ／ＤＣ回路２２４はダミーロード２３５に所定の電流値で電流を流し、このときのバッテリー電圧の降下量を検知することで、バッテリーの電圧値を検出することができる。ＤＣ／ＤＣ回路２２４は電源接点３０２を介してバッテリー本体３０１と接続されており、ＤＣ／ＤＣ回路２２４はバッテリー本体３０１から電力の供給を受けている。
【００３９】
図２は、本実施例に係るデジタルカメラの背面を示す外観図であり、図１と同じ部分は同一符号を付してある。
【００４０】
デジタルカメラ２００の背面には、背面外装部品２５０が配されている。背面外装部品２５０には後述する各種操作部材や液晶表示装置等取り付けられている。デジタルカメラ２００の背面中央部には、入力型背面液晶表示装置２３６が配されている。入力型背面液晶表示装置２３６は背面外装部品２５０に固定されており、外観部の一部を構成している。入力型背面液晶表示装置２３６は、例えばタッチパネルなどで構成される。また、デジタルカメラ２００の背面上部には、接眼レンズ２０６が配されている。接眼レンズ２０６の近傍には視度調整ダイヤル２５１が配されている。視度調整ダイヤル２５１を回転動作させるとことで、ユーザはファインダ内を鮮明に見えるよう調整することが可能である。
【００４１】
デジタルカメラ２００の背面下部には、電源のＯＮ、ＯＦＦを切り替える電源スイッチ２３４が配されている。また、デジタルカメラ２００の背面には電子ダイヤルスイッチ２２７が配されており、電子ダイヤルスイッチ２２７を回転動作させることで、露出補正や絞り値といったパラメータの表示をアップダウンさせることができる。電子ダイヤルスイッチ２２７の中央には決定スイッチ２２８が配されており、各種メニューやパラメータの決定時に使用される。デジタルカメラ２００の上部には各種パラメータを選択するための選択スイッチ２２９が配されている。選択スイッチ２２９を押圧することで、各種選択パラメータの中から所望のものを選択することができる。同じくデジタルカメラ２００の上部にはモード設定スイッチ２３０が配されている。モード設定スイッチ２３０を回転動作させることにより、ユーザが所望の動作を当該デジタルカメラ２００に実行させるべくモードを設定することができる。
【００４２】
また、デジタルカメラ２００には、入力ペン４００が付属されている。この付属の入力ペン４００で入力型背面液晶表示装置２３６の表面に文字や図形を書き込むと、入力ペンの軌跡を入力型背面液晶表示装置２３６が検知し、書き込んだ内容を電子データとして画像データ記録メディア２１８に記録できる。
【００４３】
図３は、上記構成のデジタルカメラに係る構図作成とその保存についての動作を示すフローチャートである。図３の各処理は、システムコントローラ２２３が、システムコントローラ２２３に接続された不揮発性メモリ等（不図示）に格納されたプログラムをＥＥＰＲＯＭ２２２に展開して実行することにより実現される。
【００４４】
デジタルカメラ２００の電源スイッチ２３４がオンされると、ステップＳ１０１にて、構図撮影モードが選択されたが否かを判定する。構図撮影モードの選択は前述のモード選択スイッチ２３０を回動することで行われる。構図撮影モードが選択されていない場合は通常の撮影モードへと移行する。一方、構図撮影モードが選択されたと判定するとステップＳ１０２へ進み、構図化する撮影画像の選択を促す。画像の選択は以下のように行われる。前述の画像データ記録メディア２１８に記録された撮影画像を読み出し、入力型背面液晶表示装置２３６へ表示する。ユーザは表示された撮影画像の中から、電子ダイヤルスイッチ２２７、決定スイッチ２２８を用いて所望の画像を選択する。
【００４５】
ユーザにより撮影画像の選択が行われるとステップＳ１０３へ進み、選択された撮影画像から構図として用いる線図を作成するか否かの確認表示を行う。確認表示は所定の文言を入力型背面液晶表示装置２３６に表示することで行う。ユーザは作成するか否かを、電子ダイヤルスイッチ２２７、決定スイッチ２２８を用いて選択する。
【００４６】
構図とする撮影画像の確認が行われたことを判定するとステップＳ１０４へ進み、構図作成モードへ移行する。つまり、上記ステップ１０３にて選択された撮影画像を公知の技術で自動的に線画化する。線画化のための公知の技術としては、微分フィルタを用いる画像処理方法や、画像の低周波成分をカットし、高周波成分のみを抽出する画像処理方法等が用いられる。また、このステップＳ１０４の構図作成モードでは入力ペン４００を用い、線画化された画像に図形や曲線を書き込むこともできる。線画化された画像に図形や曲線を書き込む方法の詳細は後述する。
【００４７】
次のステップ１０５では、構図が完成したか否かの判定を行う。構図完成の選択は、ユーザが電子ダイヤルスイッチ２２７、決定スイッチ２２８を用いて、所定の選択操作をすることで行われる。構図が完成したことを選択されるとステップＳ１０６へ進み、被写体の測光を行う。測光は、撮影レンズユニット１００から入射する撮影光束をペンタプリズム２０１まで導き、撮影光束の光量を測光回路２０７にて検知することで行う。
【００４８】
上記測光の後はステップＳ１０７へ進み、測光値が所定値ｘ未満であるか否かを判定する。そして、所定値ｘ未満であれば、被写体像が暗所にある、または撮影が夜間であると判定してステップＳ１０８へ進み、上記ステップＳ１０４で作成した構図を透過型表示装置２２６に発光表示させる。また、測光値が所定値ｘ以上であればステップＳ１２１へ進み、上記ステップＳ１０４で作成した構図を透過型表示装置２２６にて通常表示させる。つまり、構図の発光表示は行わず、通常の２値表示で構図を表示させる。その後はいずれの場合もステップＳ１０９へ進み、撮影待機状態へ移行する。撮影待機状態はレリーズＳＷ１に続き、レリーズＳＷ２が押された時に撮影シーケンスを開始できるよう待機している状態である。
【００４９】
ステップＳ１０９にて撮影待機状態へ移行すると、次のステップＳ１１０にて、レリーズＳＷ２がオンされているか否かを判定する。レリーズＳＷ２がＯＮされたか否かは、システムコントローラ２２３によって判定される。レリーズＳＷ２がオンされたと判定するとステップＳ１１１へ進み、撮影シーケンスを行う。撮影駆動シーケンスでは、クリックリターンミラー２０２のアップ、フォーカルプレーンシャッタ２０８の開閉、イメージセンサ２１０からの信号読み出しなどの所定のシーケンスを行われ、被写体（不図示）の撮影が実行される。
【００５０】
次のステップＳ１１２では、撮影画像と撮影に使用した構図を保存する。撮影画像と撮影に使用した構図は、画像データコントローラ２２０によって処理され、画像圧縮回路２１９を介して画像データ記録メディア２１８に保存される。画像データ記録メディア２１８内には複数のフォルダが作成されており、撮影画像と撮影に使用した構図は、それぞれ別のフォルダに保存される。なお、撮影画像のデータには、撮影に使用した構図のファイル情報が、構図のデータにはこれを用いて撮影された画像のファイル情報が自動的に添付され、お互いの関連性を確認することが可能になっている。
【００５１】
上記撮影画像と撮影に使用した構図の保存が行われ、構図撮影モードの終了がユーザによって選択されると、構図撮影モードの終了シーケンスを行う。構図撮影モードの終了シーケンスでは、構図撮影モードで最後に表示された構図が記憶され、次回構図撮影モード開始時に自動的に記憶された構図を表示するよう構成している。
【００５２】
また、上記ステップＳ１１０でレリーズＳＷ２がオンされていない場合はステップＳ１３１へ進み、ここでユーザにより構図撮影モード以外の別モードへの移行が選択されたか否かを判定する。その結果、別モードへの移行が選択されていなければステップＳ１１０へ戻り、同様の動作を繰り返す。
【００５３】
一方、ステップＳ１３１で別モードへの移行が選択されたことを判定するとステップＳ１３２へ進み、ここでは上記ステップＳ１０４で作成した構図を保存するか否かの判定を行う。保存するか否かの選択は、ユーザにより入力型背面液晶表示装置２３６に所定の文言を表示することで行われる。
【００５４】
上記ステップＳ１３２にて、ユーザにより構図の保存が選択されていなければ、上記した構図撮影モードの終了シーケンスを行う。また、上記ステップＳ１３２にて構図の保存が選択されたことを判定するとステップＳ１３３へ進み、構図の保存を行う。構図のデータは、画像データコントローラ２２０によって、画像圧縮回路２１９を介して画像データ記録メディア２１８に保存される。画像データ記録メディア２１８内には複数のフォルダが作成されおり、構図のデータは、構図用のフォルダに保存される。その後は上記した構図撮影モードの終了シーケンスを行う。
【００５５】
なお、本実施例では、上記ステップＳ１０４にて構図作成モードに移行すると、自動的に選択した撮影画像を線画化するようにしている。しかし、ユーザ自身が入力型背面液晶表示装置２３６に表示された撮影画像の輪郭を、入力ペン４００でなぞることで、線画を作成する構成としても良い。
【００５６】
図４（ａ），（ｂ）は、本実施例に係るデジタルカメラの線画作成前と線画作成された後の入力型背面液晶表示装置２３６での表示画面を示す図である。
【００５７】
所定の操作がなされて構図作成モードに入ると、図４（ａ）に示すように、入力型背面液晶表示装置２３６に画面５００ａを表示する。そして、ユーザにより撮影画像が選択されると、該撮影画像上にウインドウ５０１を表示し、選択された画像を構図として線画化するか否かの確認表示を行う。
【００５８】
ユーザにより構図として線画化することが選択されると、公知の技術にて撮影画像から輪郭線のみ抽出し、図４（ｂ）に示すように、構図作成用の画面５００ｂを表示する。ここで、輪郭線を抽出する公知の技術は、微分フィルタを用いる画像処理方法や、画像の低周波成分をカットし、高周波成分のみを抽出する画像処理方法等が用いられる。構図作成用の画面５００ｂの表示に移行した後はメニューウインドウ５０２を表示する。ユーザはこのメニューウインドウ５０２より所望の図形や曲線を、線画化された画像に追加することができる。図形や曲線の追加は、図２で示した入力ペン４００で入力型背面液晶表示装置２３６へ書き込むようにして入力することができる。入力された図形は５０３に示すように構図作成用画面５００ｂ内に表示する。
【００５９】
図５は、本実施例に係る撮影画像データ、構図データの構成を示す図である。
【００６０】
図５（ａ）において、撮影画像データは、撮影順に画像データ記録メディア２１８に書き込まれている。撮影画像データは大きく分けてヘッダー情報６０１と画像信号情報６０２とに分類される。画像信号情報６０２はイメージセンサ２１０の電荷蓄積された信号をＡＣＧ２３３、Ａ／Ｄコンバータ２１６を介して画像データコントローラ２２０で処理したものが、画像圧縮回路２１９で圧縮されて画像データ記録メディア２１８に記憶される。ヘッダー情報６０１は、メイン情報６０３、サブ情報６０４、メーカー独自情報６０５から構成される。メイン情報６０３は、使用したカメラのメーカー名、機種名等の情報を含み、サブ情報は、露光時間、レンズＦ値、撮影日時など、撮影状況に関する情報が含まれる。メーカー独自情報６０５は、メーカーごとに自由に書き込める情報域であり、ホワイトバランス、測光モードなど、他の情報域には書き込まれていない情報が書き込まれている。使用した構図情報６０６は、このメーカー独自情報の中に書き込まれる。構図情報６０６は構図データのファイル名、保存先フォルダ等の情報が含まれる。
【００６１】
図５（ｂ）は本発明の実施例に係る構図データの構成を示した図である。
【００６２】
図５（ｂ）においては、構図データは、作成順に画像データ記録メディア２１８に書き込まれている。構図データは大きく分けてヘッダー情報６１１と画像信号情報６１２とに分類される。画像信号情報６１２は、撮影画像を画像データコントローラ２２０で線画化処理したものが、画像圧縮回路２１９で圧縮されて画像データ記録メディア２１８に記憶される。ヘッダー情報６１１は、メイン情報６１３、サブ情報６１４、撮影画像情報６１５から構成される。メイン情報６０３は、構図を作成したカメラのメーカー名、機種名等の情報を含み、サブ情報は作成日時、編集履歴に関する情報が含まれる。撮影画像情報６１５は、構図データを利用して撮影された撮影画像のファイル名、保存先フォルダ等の情報が含まれる。
【００６３】
なお、上記の撮影画像データと構図データを保存する画像データ記録メディア２１８内には複数のフォルダが作成されおり、撮影画像データと構図データは、それぞれ別のフォルダ６００，６１０に保存される。
【００６４】
以上説明したように、本実施例によれば、任意の画像から輪郭を抽出して作成した構図を、光学ファインダの光路中に配した透過型表示装置に表示するようにしている。つまり、被写体像と構図とを重畳表示するようにしている。よって、光学ファインダでも構図を参照しながらの撮影が容易に行えるようになった。また、構図とする画像を線画として表示するようにしたので、光学ファインダ内でも構図と被写体の視認性を良好に保つことができる。また、構図とする線画の作成方法を自動作成、手動作成との両方を備える構成としたので、自由度と利便性の両方が高まった。
【００６５】
詳しくは、本実施例に係るデジタルカメラは、被写体の光学像を観察可能な光学ファインダと、光学ファインダの光路中に配された透過型表示手段である透過型表示装置２２６とを有する。さらに、画像を任意に選択する画像選択手段（電子ダイヤルスイッチ２２７、決定スイッチ２２８および入力型背面液晶表示装置２３６から成る）を有する。さらに、任意に選択された画像から線画を作成する線画作成手段（画像データコントローラ２２０、システムコントローラ２２３から成る）を有する。さらに、作成された線画を透過型表示装置２２６に表示する線画表示手段（画像表示回路２１３から成る）を有する。
【００６６】
上記のような構成にして、任意の画像から線画化した構図を、ピント板２２５近傍に配した透過型表示装置２２６に表示可能な構成にしている。よって、光学ファインダでも構図を参照しながらの撮影が容易に行えるようになった。また、表示する構図を線図とすることによって、被写体の視認性が良好になった。
【００６７】
また、上記線画作成手段は、画像選択手段によって任意に選択された画像から自動的に線画を作成する自動線画作成手段であり、ユーザが選択した任意の画像から、構図とするための線画を自動で作成する構成としている。よって、容易に構図を作成することができるようになった。
【００６８】
また、上記線画作成手段は、画像選択手段によって任意に選択された画像を表示する画像表示手段（画像表示回路２１３、入力型背面液晶表示装置２３６から成る）を有する。さらに、画像表示手段によって表示された画像の輪郭をなぞることによって手動で線画を作成する手動線画作成手段（入力型背面液晶表示装置２３６、入力ペン４００）を有する。つまり、ユーザが選択した任意の画像を画像表示手段に表示させ、入力ペンで輪郭をなぞることで、構図とするための線画を作成できる構成としている。よって、自由な構図を作成できるようになった。
【００６９】
また、手動線画作成手段は、作成された線画内に、所定の図形、または記号を挿入する線画図形挿入手段（入力型背面液晶表示装置２３６、入力ペン４００）を有する。つまり、作成された構図内に所定の図形、または記号を挿入できるようにし、定点撮影に必要な図形を挿入できる構成としている。よって、ユーザが所望の構図を作成できるようになった。
【００７０】
また、上記線画表示手段は、被写体像の輝度が設定された輝度値より小さいと判定した場合、線画の線を発光して表示させる。つまり、被写体像の輝度値が所定値未満と判定すると、線画の線を発光して表示するように構成している。よって、夜間の撮影時でも構図を容易に視認することができるようになった。
【００７１】
また、上記線画作成手段によって作成された線画を保存する画像保存手段（画像データ記録メディア２１８により成る）を有し、作成された線画を記録媒体に保存できるように構成している。よって、作成した線画をいつでも呼び出し、再度、撮影に利用することができて、利便性が向上した。
【００７２】
上記画像保存手段は、画像表示手段によって表示された線画を、前記線画の表示中に撮影された撮影画像と関連付けて保存する、つまり、撮影に構図として使用した線画を、撮影画像と関連付けて保存するように構成している。よって、撮影画像がどの構図を利用して撮影されたかを参照できるようになり、利便性が向上した。
【００７３】
または、上記画像保存手段は、前記線画を前記記録媒体の撮影画像を記録する記録領域とは異なる記録領域に保存する、つまり、線画を、記録媒体の撮影画像を保存しているフォルダとは異なるフォルダに保存するように構成している。よって、作成した線画の管理が容易になり、利便性が向上した。
【００７４】
または、上記画像保存手段は、線画を所定の撮影モード時に表示するように、所定の撮影モードと関連付けて保存する、つまり、任意選択した線画を所定の撮影モード時に表示するように、所定の撮影モードと関連付けて保存するように構成している。よって、撮影時の線画の呼び出しが容易になり、利便性が向上した。
【００７５】
なお、上述した実施例の処理は、各機能を具現化したソフトウェアのプログラムコードを記録した記録媒体をシステム或いは装置に提供してもよい。そして、そのシステム或いは装置のコンピュータ（又はＣＰＵやＭＰＵ）が記録媒体に格納されたプログラムコードを読み出し実行することによって、前述した実施形態の機能を実現することができる。この場合、記録媒体から読み出されたプログラムコード自体が前述した実施形態の機能を実現することになり、そのプログラムコードを記録した記録媒体は本発明を構成することになる。このようなプログラムコードを供給するための記録媒体としては、例えば、フロッピー（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【００７６】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施例の機能が実現される場合も含まれている。
【００７７】
さらに、記録媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【符号の説明】
【００７８】
２１３              画像表示回路
２２０              画像データコントローラ
２２３              システムコントローラ
２２６              透過型表示装置
２２８              決定スイッチ
２２９              選択スイッチ
２３０              モード設定スイッチ
２３６              入力型背面液晶表示装置
５００ａ，５００ｂ  画面
【図１】
2010206755.tif 000003
【図２】
2010206755.tif 000004
【図３】
2010206755.tif 000005
【図４】
2010206755.tif 000006
【図５】
2010206755.tif 000007